(57)【要約】  【課題】  アクセス用開口を開閉自在に閉じるシャッタのロックの解除を行なうための解除部材が、シャッタを閉じる方向に付勢するばねによってクリープ変形を起すことを防止し、シャッタのロック機構が不具合を生ずることを防止する。  【解決手段】  シャッタ１７の保持片４０によって保持されるようにケーシング１０の下シェル１２の段部３３によって摺動自在に解除部材１８を保持しておき、この解除部材１８をシャッタ１７に対してこのシャッタ１７を開放する方向に相対的に移動させることにより、ロック板１９によるシャッタ１７のロックを解除するとともに、ねじりばね２０はシャッタ１７を開く方向に解除部材１８を移動させたときのみこの解除部材１８に作用するようにし、それ以外の場合にはねじりばね２０の弾性復元力がシャッタ１７に作用するようにする。【選択図】  図３０
2005135497.tif 000002
【特許請求の範囲】
【請求項１】
ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記シャッタを閉じる方向に付勢するばねと、
を具備し、前記解除部材は前記シャッタに対して所定のストローク相対的に移動可能であって、前記シャッタが閉じられて前記ロック部材によってロックされている状態で前記解除部材を前記シャッタに対して相対的に移動させると前記解除部材が前記ロック部材による前記シャッタのロックを解除し、
前記解除部材が前記シャッタに対してロックを解除する方向に相対的に移動すると前記ばねの付勢力が前記解除部材に作用するとともに、前記シャッタが開かれた状態および閉じられた状態では前記ばねの付勢力が前記解除部材に作用せずに前記シャッタに作用することを特徴とするディスクカートリッジ。
【請求項２】
前記解除部材は前記ケーシングの側縁の段部上において前記シャッタの保持片によって保持されており、前記シャッタの開閉方向に該シャッタに対して所定のストローク移動可能であって、前記シャッタを開く方向に前記解除部材を前記シャッタに対して相対的に移動させることによって前記シャッタのロックが解除されることを特徴とする請求項１に記載のディスクカートリッジ。
【請求項３】
前記シャッタの被ロック部が該シャッタに一体に連設された爪から構成されるとともに、前記爪が前記解除部材の貫通穴を貫通して先端部が突出し、該爪の先端部が前記ロック部材によってロックされるようになされ、しかも前記爪よりも前記貫通穴の方が前記シャッタの開閉方向の寸法が大きくなっており、これによって前記解除部材が前記シャッタに対して前記シャッタを開く方向に相対的に移動可能であることを特徴とする請求項２に記載のディスクカートリッジ。
【請求項４】
前記ロック部材が屈曲した板ばねから構成され、該板ばねに形成されるロック孔が前記爪の先端部と係合することにより前記シャッタが閉じた状態でロックされることを特徴とする請求項３に記載のディスクカートリッジ。
【請求項５】
前記解除部材の側面に凹部が形成され、該凹部に開口するように前記貫通穴が形成され、前記爪が前記貫通穴を通して前記凹部内に突出するようになされ、しかも前記板ばねから成るロック部材が前記凹部内に落込んで該板ばねのロック孔が前記爪と係合して前記シャッタをロックすることを特徴とする請求項４に記載のディスクカートリッジ。
【請求項６】
前記解除部材の前記凹部の側部にカムが形成され、前記解除部材を前記シャッタに対して相対的に移動させると前記解除部材のカムが前記板ばねから成るロック部材を変形させて前記解除部材のストローク方向とほぼ直角な方向に離間させて前記板ばねのロック孔による前記シャッタのロックを解除することを特徴とする請求項５に記載のディスクカートリッジ。
【請求項７】
前記シャッタが開かれている状態で前記解除部材を自由にすると、前記ばねによって前記シャッタが押されて前記開口を閉じる方向に移動し、前記シャッタが前記開口を閉じるのにほぼ同期して前記シャッタの爪が前記板ばねから成るロック部材のロック孔と係合してロックされることを特徴とする請求項６に記載のディスクカートリッジ。
【請求項８】
前記シャッタを閉じてロックするときに、前記解除部材は前記シャッタに対して相対的に前記シャッタを閉じる方向に移動しており、前記解除部材のカムが作用せずに前記板ばねから成るロック部材が前記解除部材の凹部に落込んで前記シャッタの爪を前記ロック孔と係合させることを特徴とする請求項７に記載のディスクカートリッジ。
【請求項９】
ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記シャッタを閉じる方向に付勢するばねと、
を具備し、前記解除部材は前記シャッタに対して該シャッタの開閉方向に所定のストローク相対的に移動可能であって、前記シャッタの開放時には前記解除部材が前記シャッタに対して前記シャッタの開放方向に相対的に移動するとともに、前記シャッタの閉鎖時には前記解除部材が前記シャッタに対して前記シャッタの閉鎖方向に移動し、
しかも前記シャッタが開放方向に移動するときには前記ばねが前記解除部材に作用し、前記シャッタが完全に開放された状態および完全に閉鎖された状態では前記ばねの付勢力が前記シャッタに作用するとともに前記解除部材には作用しないことを特徴とするディスクカートリッジ。
【請求項１０】
前記ケーシングを構成する一対のシェルの内の一方のシェルの内表面であって前記シャッタが開放されるときに移動する側にほぼ３角形状をなす収納空間が形成され、該収納空間に前記ばねが収納されることを特徴とする請求項１または請求項９に記載のディスクカートリッジ。
【請求項１１】
前記ばねがつる巻ばねから構成され、互いに大きさの異なる２つのコイル部を有し、前記シャッタが開放方向に移動すると大きいコイル部が変形し、次いで小さいコイル部が変形することを特徴とする請求項１０に記載のディスクカートリッジ。
【請求項１２】
前記２つのコイル部の内の小さい方のコイル部が前記シャッタの開放方向に位置するとともに大きい方のコイル部が前記シャッタの閉鎖方向に位置するように前記ばねが前記収納空間に配されることを特徴とする請求項１１に記載のディスクカートリッジ。
【請求項１３】
前記収納空間の前記シャッタが閉鎖する方向の側壁に傾斜面を設け、前記シャッタが開放方向に移動するのに連動して前記傾斜面によって前記ばねの端部が該傾斜面上を移動することを特徴とする請求項１２に記載のディスクカートリッジ。
【請求項１４】
前記ロック部材を構成する板ばねが所定量変形したら当接する当接部を前記ケーシングを構成する一方のシェルの内表面に設けたことを特徴とする請求項４に記載のディスクカートリッジ。
【請求項１５】
前記板ばねはその一端が前記シェルによって係止されるとともに、他端が自由になっており、該自由になっている他端が前記ケーシング内において移動可能であることを特徴とする請求項１４に記載のディスクカートリッジ。
【発明の詳細な説明】
【技術分野】
【０００１】
本発明はディスクカートリッジに係り、とくにケーシングの開口を開閉自在に覆うように取付けられるシャッタを開いて上記開口を通してケーシング内のディスクにアクセスするようにしたディスクカートリッジに関する。
【背景技術】
【０００２】
光ディスク等のディスク状記録媒体を用いて信号の書込みあるいは読出しを行なうようにした光ディスクプレーヤが広く普及している。そして上記光ディスクを保護するために、上記ディスクをケーシング内に収納してカートリッジ式にしたものが提案されている。この場合には、ケーシングの開口を開閉自在に覆うように取付けられるシャッタを開いて、上記開口を通してケーシング内のディスクに光ピックアップがアクセスすることによって信号の書込みあるいは読出しが行なわれる。そしてアクセスのための開口を開放したままの状態にしておくと、この開口を通してディスクが汚損されたり破損したりするために、カートリッジ式にしたことの意味がなくなる。そこで上記開口を開閉式のシャッタによって覆うようにしている。
【０００３】
このようなディスクカートリッジにおいては、例えば特公平７−８９４３１号公報に開示されているように、ほぼ四角なケース内にディスクを包含し、このケースのコーナの部分にねじりコイルばねの復元力でシャッタ部材を移動させてヘッド挿入窓を閉状態にし、ロック手段によってシャッタ部材を該状態に係合保持している。また特開２０００−９０６３４号公報には、ねじりコイルばねによってテープカートリッジの蓋の部分を閉じるように付勢した磁気テープカートリッジが開示されている。
【０００４】
上記特公平７−８９４３１号公報に開示されているディスクカートリッジにおいては、ロック爪を外部のアームで移動させてシャッタの係合部との係合を解除してロック解除を行ない、これによってシャッタを自由に動き得るようにしていた。このような構造は、外部のアームがケーシング内に侵入してロック部材を解除するために十分なスペースがある場合に可能になる。ところが外部からアームが侵入するのに必要なスペースをケーシング内に確保できない場合には、特公平７−８９４３１号公報に開示されているようなロック機構を採用することができない。
【０００５】
また従来のこの種のディスクカートリッジは、シャッタを閉じる方向に付勢するためにコイルばねを用いるようにし、このコイルばねによってシャッタの全ストロークに付勢力を与えるようにしていた。ばねによる付勢力ではシャッタの全ストロークを移動させることができない場合には、つる巻ばねのコイルの一端に作用するようにケーシングの一部にカムを設けておき、上記ばねの一端を移動させてシャッタに付勢力を与えるようにしていた。
【０００６】
このようなシャッタを閉じるための付勢の構造は、シャッタに作用するつる巻ばねの弾性復元力の大きさが不均一であって、シャッタが完全に閉鎖されるときの弾性復元力が不足するとともに、シャッタがロック部材を乗り越える時のロックの力の余裕が少ない問題がある。
【０００７】
またシャッタが完全に開放された状態においては、コイルばねが大きく弾性変形されるとともに、シャッタに作用する弾性復元力が大きくなりすぎる。従ってこのようにディスクカートリッジをホルダ内に装填、この装填動作によってシャッタの開放動作を行なうようにしたディスクプレーヤにおいては、上記カートリッジによる保持を解除した途端に、シャッタを閉じる方向に付勢するばねの弾性復元力によってカートリッジが飛出す危険性があった。
【０００８】
【特許文献１】特公平７−８９４３１号公報
【特許文献２】特開２０００−９０６３４号公報
【特許文献３】特開平９−２４５４５８号公報
【発明の開示】
【発明が解決しようとする課題】
【０００９】
本願発明の課題は、外部からロック解除のためのアームを侵入させるためのスペースをケーシングに必要としないロック機構を有するディスクカートリッジを提供することである。
【００１０】
本願発明の別の課題は、最小限のスペースによってロック機構を成立させるようにしたディスクカートリッジを提供することである。
【００１１】
本願発明のさらに別の課題は、ロック部材を板ばねから構成してロック機構の省スペース化を図るようにしたディスクカートリッジを提供することである。
【００１２】
本願発明のさらに別の課題は、シャッタに加わるばねの付勢力の大きさがシャッタが閉じた場合と開いた場合とで大きな差がなく、ほぼ均一な付勢力をシャッタの全ストロークにおいて加えるようにしたディスクカートリッジを提供することである。
【００１３】
本願発明のさらに別の課題は、シャッタを開いた状態でホルダに保持されているカートリッジが、ホルダによる保持を解除したときに飛出すことがないようにしたディスクカートリッジを提供することである。
【課題を解決するための手段】
【００１４】
本願の主要な発明は、ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記シャッタを閉じる方向に付勢するばねと、
を具備し、前記解除部材は前記シャッタに対して所定のストローク相対的に移動可能であって、前記シャッタが閉じられて前記ロック部材によってロックされている状態で前記解除部材を前記シャッタに対して相対的に移動させると前記解除部材が前記ロック部材による前記シャッタのロックを解除し、
前記解除部材が前記シャッタに対してロックを解除する方向に相対的に移動すると前記ばねの付勢力が前記解除部材に作用するとともに、前記シャッタが開かれた状態および閉じられた状態では前記ばねの付勢力が前記解除部材に作用せずに前記シャッタに作用することを特徴とするディスクカートリッジに関するものである。
【００１５】
ここで前記解除部材は前記ケーシングの側縁の段部上において前記シャッタの保持片によって保持されており、前記シャッタの開閉方向に該シャッタに対して所定のストローク移動可能であって、前記シャッタを開く方向に前記解除部材を前記シャッタに対して相対的に移動させることによって前記シャッタのロックが解除されることが好ましい。また前記シャッタの被ロック部が該シャッタに一体に連設された爪から構成されるとともに、前記爪が前記解除部材の貫通穴を貫通して先端部が突出し、該爪の先端部が前記ロック部材によってロックされるようになされ、しかも前記爪よりも前記貫通穴の方が前記シャッタの開閉方向の寸法が大きくなっており、これによって前記解除部材が前記シャッタに対して前記シャッタを開く方向に相対的に移動可能であることが好ましい。また前記ロック部材が屈曲した板ばねから構成され、該板ばねに形成されるロック孔が前記爪の先端部と係合することにより前記シャッタが閉じた状態でロックされることが好ましい。また前記解除部材の側面に凹部が形成され、該凹部に開口するように前記貫通穴が形成され、前記爪が前記貫通穴を通して前記凹部内に突出するようになされ、しかも前記板ばねから成るロック部材が前記凹部内に落込んで該板ばねのロック孔が前記爪と係合して前記シャッタをロックすることが好ましい。また前記解除部材の前記凹部の側部にカムが形成され、前記解除部材を前記シャッタに対して相対的に移動させると前記解除部材のカムが前記板ばねから成るロック部材を変形させて前記解除部材のストローク方向とほぼ直角な方向に離間させて前記板ばねのロック孔による前記シャッタのロックを解除することが好ましい。また前記シャッタが開かれている状態で前記解除部材を自由にすると、前記ばねによって前記シャッタが押されて前記開口を閉じる方向に移動し、前記シャッタが前記開口を閉じるのにほぼ同期して前記シャッタの爪が前記板ばねから成るロック部材のロック孔と係合してロックされることが好ましい。また前記シャッタを閉じてロックするときに、前記解除部材は前記シャッタに対して相対的に前記シャッタを閉じる方向に移動しており、前記解除部材のカムが作用せずに前記板ばねから成るロック部材が前記解除部材の凹部に落込んで前記シャッタの爪を前記ロック孔と係合させることが好ましい。
【００１６】
本願の別の主要な発明は、ケーシングの開口を開閉自在に覆うように取付けられるシャッタを開いて前記開口を通して前記ケーシング内のディスクにアクセスするようにしたディスクカートリッジにおいて、
前記ケーシングに設けられているロック部材と、
前記シャッタが前記開口を閉じた状態で前記ロック部材によってロックされるように前記シャッタに設けられている被ロック部と、
前記シャッタに取付けられており、前記シャッタの被ロック部の前記ロック部材によるロックを解除する解除部材と、
前記シャッタを閉じる方向に付勢するばねと、
を具備し、前記解除部材は前記シャッタに対して該シャッタの開閉方向に所定のストローク相対的に移動可能であって、前記シャッタの開放時には前記解除部材が前記シャッタに対して前記シャッタの開放方向に相対的に移動するとともに、前記シャッタの閉鎖時には前記解除部材が前記シャッタに対して前記シャッタの閉鎖方向に移動し、
しかも前記シャッタが開放方向に移動するときには前記ばねが前記解除部材に作用し、前記シャッタが完全に開放された状態および完全に閉鎖された状態では前記ばねの付勢力が前記シャッタに作用するとともに前記解除部材には作用しないことを特徴とするディスクカートリッジに関するものである。
【００１７】
ここで前記ケーシングを構成する一対のシェルの内の一方のシェルの内表面であって前記シャッタが開放されるときに移動する側にほぼ３角形状をなす収納空間が形成され、該収納空間に前記ばねが収納されることが好ましい。また前記ばねがつる巻ばねから構成され、互いに大きさの異なる２つのコイル部を有し、前記シャッタが開放方向に移動すると大きいコイル部が変形し、次いで小さいコイル部が変形することが好ましい。また前記２つのコイル部の内の小さい方のコイル部が前記シャッタの開放方向に位置するとともに大きい方のコイル部が前記シャッタの閉鎖方向に位置するように前記ばねが前記収納空間に配されることが好ましい。また前記収納空間の前記シャッタが閉鎖する方向の側壁に傾斜面を設け、前記シャッタが開放方向に移動するのに連動して前記傾斜面によって前記ばねの端部が該傾斜面上を移動することが好ましい。
【００１８】
また前記ロック部材を構成する板ばねが所定量変形したら当接する当接部を前記ケーシングを構成する一方のシェルの内表面に設けたことが好ましい。また前記板ばねはその一端が前記シェルによって係止されるとともに、他端が自由になっており、該自由になっている他端が前記ケーシング内において移動可能であることが好ましい。
【００１９】
本願発明の好ましい態様は、ディスクカートリッジのアクセス用開口を閉じるシャッタの戻しばねとして、一対のコイル部を有するねじりコイルばねを用いるようにしたものである。ここで上記ねじりコイルばねの一方のコイル部を他方のコイル部よりも大きくすることが好適である。またコイルばねの少なくとも一端を折曲げて屈曲させ、弾性復元力が必要な方向に有効に作用するようにすることが好ましい。またシャッタを開ききったときにコイルばねの一端が移動できるように、ケーシングを構成するシェルのばね受け側の壁面に傾斜面を設け、この傾斜面によって固定端側のばねの端部を上記傾斜面に沿って移動させることが好ましい。
【００２０】
また上記ねじりコイルばねによって閉じる方向に付勢されるカートリッジのシャッタを閉じた状態でロックするためのロック部材として板ばねから成るロック板を用いるようにし、しかもこの板ばねの長さ方向の寸法をより長くして永久変形を防止するようにしている。さらに上記板ばねが外力によって必要以上に変形しないようにケーシングの内表面に当接部を構成するストッパを設け、このストッパによってロック板を構成する板ばねの変形を所定の範囲内に規制するようにすることが好適である。
【００２１】
シャッタを弾性的に押圧するねじりコイルばねとして一対のコイル部を有するねじりコイルばねを用いるとともに、このねじりコイルばねの固定端側を受ける部分を傾斜面とすることによって、シャッタを閉じる方向に付勢する板ばねの付勢力をその全ストロークにおいて小さくすることが可能になる。またシャッタが完全に開ききったときのねじりコイルばねの弾性復元力による機構部分の保持力を小さくし、これによってホルダの保持を解除したときにカートリッジが飛出すのを防止するのに有利になる。またシャッタが完全に閉じられた状態でねじりコイルばねが解除部材に作用せず、シャッタに作用するようにすることによって、解除部材のクリープ変形が防止される。
またシャッタを閉じた状態でロックするロック板を板ばねから構成するとともに、その板ばねの長さ方向の寸法を大きくすることによって板ばねの永久変形を少なくできるようになる。さらにストッパによって板ばねの変形量を規制することにより、板ばねが永久変形するのをより効果的に防止できるようになる。
【発明の効果】
【００２２】
本願の主要な発明は、ケーシングの開口を開閉自在に覆うように取付けられるシャッタを開いて開口を通して前記ケーシング内のディスクにアクセスするようにしたディスクカートリッジにおいて、ケーシングに設けられているロック部材と、シャッタが開口を閉じた状態でロック部材によってロックされるようにシャッタに設けられている被ロック部と、シャッタに取付けられており、シャッタの被ロック部のロック部材によるロックを解除する解除部材と、シャッタを閉じる方向に付勢するばねと、を具備し、解除部材はシャッタに対して所定のストローク相対的に移動可能であって、シャッタが閉じられてロック部材によってロックされている状態で解除部材をシャッタに対して相対的に移動させると解除部材がロック部材によるシャッタのロックを解除し、解除部材がシャッタに対してロックを解除する方向に相対的に移動するとばねの付勢力が解除部材に作用するとともに、シャッタが開かれた状態および閉じられた状態ではばねの付勢力が解除部材に作用せずにシャッタに作用するようにしたものである。
【００２３】
従ってこのようなディスクカートリッジによれば、シャッタを開放するために解除部材をロックを解除する方向に移動させると、ばねの付勢力が解除部材に作用するものの、シャッタが完全に開かれた状態および閉じられた状態においては解除部材にばねによる外力が作用しなくなる。従って解除部材として非常に寸防が小さな部品を用いた場合においても、このような部品がばねの付勢力を受けた状態で長時間さらされることがなくなり、これによって解除部材のクリープ変形を未然に防止することが可能になる。
【発明を実施するための最良の形態】
【００２４】
以下本願発明を図示の実施の形態によって説明する。図１は本実施の形態に係るディスクカートリッジの全体の構造を示すものであって、このディスクカートリッジは偏平なケーシング１０を備えている。すなわちケーシング１０は互いに上下から接合される合成樹脂製の上シェル１１と下シェル１２とから構成されている。下シェル１２のほぼ中央部にはターンテーブルが侵入する円形の中心孔１３が形成されるとともに、この中心孔１３と連続するように下シェル１２の側面に延びるようなアクセス用開口１４が形成されている。このアクセス用開口１４を通して内部に収納されるディスク６５に対して光ピックアップがディスク６５の半径方向に移動しながらアクセスする。
【００２５】
上記下シェル１２の中心孔１３およびアクセス用開口１４を開閉自在に覆うようにシャッタ１７が取付けられる。シャッタ１７はさらに棒状をなす解除部材１８を備えるとともに、シャッタ１７が板ばねから成るロック板１９によって閉じた状態でロックされるようになっている。またシャッタ１７はねじりばね２０によって閉じる方向に付勢される。
【００２６】
次に上シェル１１の構造を図２〜図４によって説明する。上シェル１１の外表面、すなわち上面にはラベル貼付け用凹部２３が形成される。また上シェル１１には下シェル１２と結合するための結合用ビス穴２４が形成される。また上シェル１１の内表面には図３に示すように円形の凹部２５が形成される。さらに上シェル１１の内表面であってその一側部には係止溝２７が形成される。この係止溝２７はシャッタ１７の後述する被係止部４２を受入れるためのものである。
【００２７】
次に下シェル１２の構造を図５〜図８によって説明する。下シェル１２の内表面には円形の凹部３０が形成され、この凹部３０内にディスク６５が保持されるようになっている。また上シェル１１の結合用ビス穴２４と対応する位置にはボス３１が形成されるとともに、このボス３１の中心部に雌ねじ孔３２が形成される。従って上記上シェル１１の結合用ビス穴２４を挿通するビスを上記雌ねじ孔３２に螺着することによって、上下のシェル１１、１２が互いに結合されてケーシング１０が組立てられる。
【００２８】
上記下シェル１２の側部には段部３３が形成される。この段部３３は上記解除部材１８が摺動する摺動面を構成している。また下シェル１２の下面には摺動用凹部３４が形成され、上記シャッタ１７がこの摺動用凹部３４を摺動して上記アクセス用開口１４を開閉するようにしている。また上記摺動用凹部３４の奥の部位にはさらに深い凹部３５が形成されている。この凹部３５は上記シャッタ１７の先端側の屈曲部４４を受入れるものである。また下シェル１２の下面であって上記段部３３の下側の位置には係止溝３６が形成されている。この係止溝３６はシャッタ１７の後述する被係止部４６を受入れるようになっている。
【００２９】
次に上記ケーシング１０の下シェル１２の中心孔１３およびアクセス用開口１４を一緒に開閉するシャッタ１７について説明すると、シャッタ１７は図９〜図１３に示すように、ほぼ矩形の金属板から構成され、その長さ方向の一端側には直角に折曲った側壁３８が形成されている。そしてこの側壁３８の側端側にはシャッタ１７の主面とほぼ平行な方向に突出するように爪３９が形成される。この爪３９が被ロック部を構成する。また側壁３８の上縁には３つの保持片４０が形成される。これらの保持片４０は上記下シェル１２の段部３３上を摺動する解除部材１８を保持して押えるためのものである。そしてこれらの保持片４０の先端部には屈曲して被係止部４２が形成される。これらの被係止部４２が上シェル１１の内表面の係止溝２７に受入れられる。
【００３０】
またシャッタ１７のシャッタ１７の側壁３８の上端には突片４１が形成され、この突片４１の先端側の部分には上方に突出するように被係止部４３が形成されている。この被係止部４３が上シェル１１の内表面に形成される係止溝２７と係合され、これによってシャッタ１７がケーシング１０から脱落するのを防止している。また突片４１には係合孔４５が形成される。この係合孔４５は、ねじりばね２０の一端を受入れるようになっている。さらに上記側壁３８の爪３９とは反対側の側端部に被係止部４６が形成され、この被係止部４６が下シェル１２の下面の係止溝３６に係合されてシャッタ１７がケーシング１０から脱落するのを防止している。またシャッタ１７の上記側壁３８が形成されている端部とは反対側の端部に屈曲部４４が形成され、この屈曲部４４が下シェル１２の下面の深い凹部３５内に受入れられており、これによってシャッタ１７の屈曲部４４が形成されている先端部が異物等に引掛からないようにしている。
【００３１】
次にシャッタ１７の側壁３８の内側に保持された状態で下シェル１２の段部３３上を摺動する解除部材１８について図１４〜図１６により説明する。この解除部材１８はその側端に凹部４７を備えている。そして凹部４７の一端であって図１４〜図１６において左端側の部分にカム４８が形成される。そして上記凹部４７に開放するようにこの解除部材１８には横方向に貫通穴４９が形成される。この貫通穴４９を上記シャッタ１７の爪３９が挿通するようになっている。また上記貫通穴４９の背面側であってこの解除部材１８の背面側の部分には段部５０が形成されている。
【００３２】
さらに解除部材１８には上記貫通穴４９が形成される部分とは反対側の端部に段部５１が形成されている。そして段部５１にはＬ字状係合部５２が形成され、このＬ字状係合部５２は上記ねじりコイルばね２０の一端の屈曲部６３と係合されるようになっている。
【００３３】
次に上記シャッタ１７をロックするためのロック板１９について説明する。ロック板１９は細長い板ばねによって図１７〜図１９に示すように、ほぼへの字状に屈曲させたものであって、この板ばね１９の一端側の部分にはその上下に突出するように突部５７が形成されている。これらの突部５７は上シェル１１と下シェル１２とによって挟着保持され、これによってこの板ばね１９をケーシング１０の内部の所定の位置に保持するようにしている。また板ばね１９の長さ方向のほぼ中間位置であってへの字状の屈曲部の近傍には横長のロック孔５８が形成されている。またこの板ばね１９の上記突部５７が形成されている端部とは反対側の端部にはほぼ水平な受け面５９が形成される。この受け面５９が下シェル１２の壁面に当接しながら移動するようになっている。
【００３４】
ロック用の板ばね１９はその永久変形を防止するように十分な長さを有している。さらにロック板１９が永久変形を起すのを阻止するように、このロック板１９を保持するシャッタ１７の上面であって保持空間には図５に示すように当接部７０が形成され、この当接部７０によって板ばね１９の所定量以上の変形を防止している。また上記板ばね１９の突部５７が形成されている端部とは反対側の端部を受けるための摺接リブ７１が下シェル１２の上面に形成されており、板ばね１９が弾性変形する際に端部がこの摺接リブ７１上を摺動するようになっている。
【００３５】
次に上記シャッタ１７を閉じる方向に付勢するねじりばね２０について図２０〜図２２により説明する。ねじりばね２０は断面が円形の細長いワイヤを巻回して構成したものであって、一対のコイル部６１、６２を備えている。ここで一方のコイル部６１の方が他方のコイル部６２よりも大きくなっている。そして小さいコイル部６２の方が大きいコイル部６１よりも大きな弾性復元力を発生するようになっている。またこのねじりばね２０は、その両端はそれぞれ互いに逆方向に延びるアームを備えるとともに、左右に延びたアームの先端側の部分にそれぞれ屈曲部６３、６４が形成されている。これらのアームの屈曲部６３、６４の内一方の屈曲部６４が下シェル１２の壁部６７によって受けられるとともに、他方の屈曲部６３が上記解除部材１８のＬ字状係合部５２に係合されるようになっている。
【００３６】
次にこのようなディスクカートリッジのとくにロック機構を図２３によって説明する。シャッタ１７のロック機構はこのシャッタ１７に設けられている爪３９と、この爪３９が挿通される貫通孔４９を備える解除部材１８と、板ばねから成るロック板１９とによって構成される。解除部材１８は下シェル１２の段部３３上において上記シャッタ１７の側壁３８と保持片４０とによって保持された状態でシャッタ１７の側壁３８の内側に組込まれる。そしてこのときにシャッタ１７の爪３９が解除部材１８の貫通穴４９内を挿入するとともに、爪３９の先端部がこの貫通孔４９から突出してロック板１９のロック孔５８に係合し、これによってロックが行なわれる。
【００３７】
図２４Ａはシャッタ１７の爪３９がロック板１９のロック孔５８の一方のエッジに係合し、これによってシャッタ１７がロックされた状態を示している。このときに爪３９は解除部材１８の貫通穴４９の下側の側壁部分に当接している。すなわちロック状態においては、シャッタ１７に対して解除部材１８がシャッタ１７を閉じる方向、すなわち図２３Ａにおいて上方に相対的に移動している。
【００３８】
このようなロック状態において、図２４Ｂに示すように、シャッタ１７に対して解除部材１８をロック解除方向、すなわちシャッタ１７を開く方向に摺動させる。このときに解除部材１８の貫通穴４９のストローク方向の寸法と爪３９の同方向の寸法とのクリアランス分だけ解除部材１８がシャッタ１７に対して図２４Ｂにおいて下方へ移動する。そしてこのときに解除部材１８の凹部４７の上端側のカム４８がロック板１９を押して同図においてロック板１９を左方へ押圧する。すなわち解除部材１８のロック解除方向への移動によって、ロック板１９のロック孔５８が爪３９から離れるように側方に移動し、これによって爪３９の貫通孔４９から突出する先端部がロック板１９のロック孔５８から相対的に離脱する。これによってロック解除動作が行なわれる。
【００３９】
またロック動作はねじりばね２０によって解除部材１８をシャッタ１７の閉鎖方向、すなわち図２４Ｂにおいて上方に移動させることにより達成される。同方向に解除部材１８を移動させると、この解除部材１８と爪３９を介して結合されているシャッタ１７が一緒に上方へ移動し、やがてこのシャッタ１７の爪３９が図２４Ａに示すように解除部材１８の凹部４７に落込んだ板ばね１９のロック孔５８に係合してロックが行なわれることになる。
【００４０】
図２５および図２６は、シャッタ１７がケーシング１０の下シェル１２の中心孔１３とアクセス用開口１４とを閉じた状態を示している。ここでケーシング１０はその上シェル１１を外して示しており、ここでは下シェル１２のみが示されている。下シェル１２の円形の凹部３０にディスク６５が収納されており、しかもシャッタ１７が中心孔１３とアクセス用開口１４とを閉じている。そしてシャッタ１７の爪３９が解除部材１８の貫通穴４９を貫通してロック板１９のロック孔５８内に入込んだ状態になっている。なおロック板１９はその一端の突部５７を上シェル１１と下シェル１２の凹部に保持して固定した状態になっている。
【００４１】
ここでシャッタ１７を図２５および図２６において左方に移動させようとしても、シャッタ１７の爪３９がロック板１９のロック孔５８のエッジに引掛かってシャッタ１７は開く方向には移動されない。上述の如くシャッタ１７には解除部材１８が具備されており、その貫通穴４９にシャッタ１７の爪３９が入込んでいる。解除部材１８の側部にはカム４８を有する凹部４７が形成され、この凹部４７にへの字状に屈曲したロック板１９が入込んでいる。そしてねじりコイルばね２０が解除部材１８を介してシャッタ１７を閉じる方向であって図２５および図２６において右方に押している。解除部材１８の貫通穴４９の左側の側壁部分がシャッタ１７の爪３９によってシャッタ１７を押し、このためにシャッタ１７は下シェル１２の当接段部６６（図２６参照）に突当って閉鎖位置を保持している。これがシャッタ１７が閉鎖してロックされた状態である。
【００４２】
これに対してシャッタ１７がケーシング１０の下シェル１２の中心孔１３とアクセス用開口１４とを完全に開放した状態が図２７および図２８に示される。解除部材１８が図示を省略した部材によってシャッタ１７を開く方向、すなわち図２７および図２８において左方に押されると、シャッタ１７のロックが解除され、解除部材１８がシャッタ１７の爪３９を貫通穴４９の右側の壁部で押して左方へ移動させる。
【００４３】
なおねじりばね２０はシャッタ１７が完全に開かれた状態においては、とくに図２７に示すようにシャッタ１７の側壁３８側の左側の側端を直接押すようになっており、解除部材１８から離間した状態にある。このような構造は、プラスチック部品から成る解除部材１８にねじりばね２０による力をかけずに済むようになり、これによって解除部材１８の高温環境下での変形をより確実に防止することが可能になる。
【００４４】
次にとくにシャッタ１７のロック機構の動作を順を追って説明する。図２９Ａはシャッタ１７がケーシング１０の下シェル１２の中心孔１３とアクセス用開口１４とを閉じてロックされた状態を示している。この場合にはシャッタ１７の爪３９が解除部材１８の貫通穴４９を貫通し、その先端部がロック板１９のロック孔５８のエッジの部分によってロックされ、これによって図２９Ａにおいて右方への移動が阻止される。なおシャッタ１７の左端は上記下シェル１２の当接段部６６に当接し、これによって左方への移動も阻止される。
【００４５】
このようにシャッタ１７が閉鎖位置にあり、しかもロック板１９によってロックされた状態において、シャッタ１７をケーシング１０の下シェル１２の中心孔１３とアクセス用開口１４とを開く方向、すなわち図２９Ｂにおいて右方へ移動させようとして、シャッタ１７のみを右方へ押圧した場合においても、シャッタ１７は開かない。これはシャッタ１７の爪３９が解除部材１８の貫通穴４９を貫通し、その先端部がロック板１９のロック孔５８に係合しており、このロック孔５８の右側のエッジの部分が爪３９と係合しているからである。
【００４６】
図２９Ａに示すようにシャッタ１７がケーシング１０の下シェル１２の中心孔１３とアクセス用開口１４を閉じ、しかもシャッタ１７の爪３９がロック板１９のロック孔５８によってロックされている状態で、解除部材１８を図２９Ｂに示すように右方へ移動させると、この解除部材１８の側面に形成されている凹部４７の一側のカム４８がロック板１９を図２９Ｂに示すように下方へ変形させる。このようなロック板１９の屈曲部の下方への変形によって、シャッタ１７の爪３９の先端部であって解除部材１８の貫通孔４９から突出している部分がロック板１９のロック孔５８から相対的に離脱する。しかも解除部材１８は外部からの操作部材によってシャッタ１７の爪３９を介してシャッタ１７を図２９Ｃにおいて右方に押圧している。従ってこの力がねじりばね２０によってシャッタ１７を閉じる方向に付勢する力よりも大きい場合には、シャッタ１７が開放される。
【００４７】
このように解除部材１８によってシャッタ１７のロックを解除する際に、ロック板１９が解除部材１８の長さ方向と直交する方向であってシャッタ１７の爪３９から離間する方向に変形する。この変形量が大きいと板ばね１９が永久変形を起す可能性がある。そこでこのような変形を防止するために、下シェル１２の上面に当接部７０が設けられており、この当接部７０によって板ばね１９の変形量が所定の範囲に収まるようにしている。また板ばね１９の先端側の部分は下シェル１２の摺接リブ７１を摺動しながら変形するようになっており、これによって板ばね１９の安定的な弾性変形を可能にしている。
【００４８】
図２９Ｂ、Ｃ、図３０Ｄ、Ｅ、Ｆ、および図３１Ｇは外部から加えられた解除部材１８の力によって、ねじりばね２０に抗してシャッタ１７が右方へ移動していく動作、すなわちシャッタ１７の開放動作をとくにそのロック機構の部分によって示したものである。なおこのときにねじりばね２０はその両側のアームの部分が次第に近接するように変形している。
【００４９】
図３１Ｈはシャッタ１７がケーシング１０の下シェル１２の中心孔１３およびアクセス用開口１４を完全に開放するとともに、往動位置に完全に往動した状態を示している。このときに図３１Ｈから明らかなように、シャッタ１７を閉じる方向に付勢するねじりばね２０の大きい方のコイル部６１は下シェル１２の側端部の壁面６７に当接し、解除部材１８を押していたねじりばね２０の小さい方のコイル部６２側のアームの部分の姿勢が大きく変化し、小さいコイル部６２側のアームの先端側の屈曲部６３の部分が解除部材１８のＬ字状係合部５２に対して遊ぶとともにシャッタ１７の側端に直接当接するようになる。すなわちシャッタ１７が完全に開いた状態においては、解除部材１８がねじりコイルばね２０の弾性復元力を受けることがなく、その代りにシャッタ１７の図３１Ｈにおいて右端の部分がねじりコイルばね２０の弾性復元力を受けるようになる。これによってプラスチック製の解除部材１８が変形するのが防止される。
【００５０】
一般にディスクカートリッジはディスクプレーヤに装着されると、ディスクプレーヤ内の解除機構によって上記解除部材１８を介してシャッタ１７が開放される。従ってディスクカートリッジがディスクプレーヤに装着された状態で長時間放置されると、シャッタ１７は開放状態で放置されることになる。とくに高温の雰囲気下においてシャッタ１７が開放状態で放置された場合には、ねじりばね２０が解除部材１８を介してシャッタ１７を押圧しようとする。これによって解除部材１８がクリープ変形を起し、シャッタ１８が閉まりきらなくなる不具合を生ずる。あるいはまたこのようなクリープ変形を起さない特殊な材料から解除部材１８を製作しなければならない。
【００５１】
ところが本実施の形態においては、とくに図３１Ｈに示すように、ねじりばね２０はシャッタ１７が開放された状態においてシャッタ１７に直接当接し、解除部材１８のＬ字状係合部５２とねじりばね２０の屈曲部６３との係合が解除されて屈曲部６３は解除部材１８のＬ字状係合部５２に対して離間した状態になる。従ってシャッタ１７が開放された状態においてはねじりばね２０の弾性復元力が解除部材１８に作用しなくなり、このために解除部材１８がクリープ変形を起すことがなく、解除部材１８のクリープ変形に伴うシャッタ１７の閉鎖不良が確実に回避される。
【００５２】
次に図３１Ｈに示すように完全に開放されたシャッタ１７を閉じる方向に移動させてケーシング１０の下シェル１２の中心孔１３とアクセス用開口１４とを閉じる動作を説明する。上記解除部材１８を右方に押圧する力を解除すると、ねじりばね２０の弾性復元力によって解除部材１８が図３１Ｈにおいて左方に押圧される。これによって解除部材１８が左方に移動する。そしてこの解除部材１８の左端であってその下面の部分が図２９Ｂに示すように板ばね１９の屈曲部の上面を変形させるように押圧する。シャッタ１７はその爪３９が解除部材１８の貫通穴４９を貫通しているために、解除部材１８のねじりばね２０による移動に応じて、シャッタ１７も一緒に図２９Ａに示すように左方に移動する。
【００５３】
図２９Ｂに示すようにロック板１９を下方に押圧した状態で解除部材１８のカム４８を有する凹部４７がロック板１９の上部まで移動する。ところが解除部材１８が図２９Ａに示す位置まで左方に移動しても、ロック板１９はシャッタ１７の爪３９の先端部と当接し、このためにロック板１９は解除部材１８のカム４８を有する凹部４７内には侵入できない。
【００５４】
ねじりコイルばね２０によって解除部材１８とシャッタ１７とが図２９Ａに示す位置までさらに左方に移動すると、この位置においてシャッタ１７の爪３９がロック板１９のロック孔５８の中に入るために、シャッタ１７がこの爪３９を介してロック板１９によってロックされる。同時にこのときにロック板１９はその弾性復元力によって解除部材１８の凹部４７内に入込むことになる。なおシャッタ１７の爪３９と解除部材１８の貫通穴４９とはそのストローク方向、すなわち図２９Ａにおいて左右の方向にクリアランスを有し、このために解除部材１８とシャッタ１７とはさらに左方に移動できる。そしてこのような移動ストロークが部品公差のマージンになる。
【００５５】
このようにしてシャッタの開閉動作を行なうディスクカートリッジにおいて、図２９〜図３１に示すように、シャッタ１７の戻しばね２０の一端の屈曲部６３はシャッタ１７の係合孔４５と解除部材１８のＬ字状係合部５２とに係合し、これによってシャッタ１７と解除部材１８とを同時に押すようにシャッタ１７と解除部材１８とに係合される。これに対してコイルばね２０の他端側は下シェル１２の壁部６７の傾斜面６８に当接させておく。ここでばね２０の両端は少し移動できるように固着しないようにしておく。そしてばね１７が配置されるエリアとして、下シェル１２のシャッタ１７の開放方向の収納空間６９を設定している。収納空間６９はリブによって囲まれたほぼ３角形状のエリアであって、図２９〜図３１に示すように、その狭い方（左方）にはばね２０の小さなコイル部６２が配され、広い方（右方）には大きなコイル部６１が配されるようになっている。
【００５６】
シャッタ１７が完全に閉じられた状態（図２９Ａ）において、コイルばね２０の屈曲部６３はシャッタ１７の突片４１の係合孔４５に係合され、シャッタ１７に対してばね２０の復元力が作用し、これによってシャッタ１７が閉じる方向に付勢されている。なおこのときに解除部材１８には操作部材による解除方向の力が作用していないために、解除部材１８のＬ字状係合部５２はばね２０の付勢力を受けない。
【００５７】
このような状態において解除部材１８をシャッタ１７を開く方向に押圧すると、ねじりコイルばね２０の屈曲部６３が押されるとともに、解除部材１８によってロック板１９の屈曲部が押されて変形し、これによってこのロック板１９のロック孔５８がシャッタ１７の爪３９から離間してシャッタ１７のロックが解除される。そしてそのまま解除部材１８を図２９Ｂ〜図３０Ｄに示すように、シャッタ１７を開く方向に押していくと、ねじりばね２０も同じ方向に押され、ねじりばね２０の柔らかい方の大きなコイル部６１が閉じられるように変形する。すなわちねじりばね２０はその直径が大きなコイル部６１の方が弾性復元力が弱いから先に変形する。そしてこのときにばね２０の小さなコイル部６２が下シェル１２の円形の凹部３０の外縁のリブに沿って移動する。
【００５８】
そのままさらに解除部材１８をシャッタを開く方向に移動すると、図３０Ｄ〜図３１Ｈに示すように、ばね２０の小さなコイルばね６２も変形して上記のリブから離れる（図３０Ｆ）。そしてこの頃にはねじりばね２０は解除部材１８ではなくシャッタ１７の係合孔４５の縁部を直接押すようになる。すなわちシャッタ１７が図３１Ｇに示すようにほぼ完全に開かれる位置に達すると、解除部材１８はねじりばね２０の付勢力を受けなくなる。
【００５９】
図３１Ｈに示すように、シャッタ１７が完全に開放されてねじりばね２０の両端の屈曲部６３、６４が互いに近接してほぼ同じ位置に移動するようになると、ばね２０の大きなコイル部６１の両側の線材の長さが小さなコイル部６２側の方が短く、大きなコイル部６１側の他端は小さなコイル部６２に振回されるように大きな力を受ける。このままではシャッタ１７にかかる力も必要以上に大きくなり、ねじりばね２０も力を受けて傾いて安定にはならないために、下シェル１２の壁部２７のばね２０の屈曲部６４を受ける部分を傾斜面６８から成るカム形状にし、これによってばね２０の屈曲部６４を有する端部が移動できるようにする。するとばね２０の該他端は傾斜面６８に沿って移動し、これによってばね２０の弾性復元力が小さくなる。すなわち完全に開かれた状態において、シャッタ１７に作用する力が小さくなる。
【００６０】
このように一対のコイル部６１、６２を有するとともに、最後のストロークにおいて屈曲部６４が移動するようにしたねじりばね２０を用いることによって、シャッタの全ストロークにおけるこのばね２０の弾性復元力を２５〜３５ｇの範囲内に収めることが可能になっている。なお単一のコイル部を有するばねであって、しかもばね受け側の端部が移動しない従来の単純な構造の場合には、ばねの弾性復元力が１５〜４５ｇの範囲内になる。従ってこのことから、ねじりばね２０の弾性復元力の変化量が小さな範囲になる。
【００６１】
また本実施の形態のディスクカートリッジは、解除部材１８にばね２０の力が作用するのは、外力によってシャッタ１７に対して解除部材１８をシャッタ１７を開く方向に相対的に移動した場合のみであって、それ以外の場合にはねじりばね２０の弾性復元力がシャッタ１７に直接作用するようになっている。従って解除部材１８を合成樹脂製の小さな部品から構成した場合に、この解除部材１８がねじりばね２０の弾性復元力に常時さらされることがなく、これによって解除部材１８がクリープ変形を起してロック機構が不具合を生ずることが確実に防止できる。
【００６２】
以上本願発明を図示の実施の形態によって説明したが、本願発明は上記実施の形態によって限定されることなく、本願に含まれる発明の技術的思想の範囲内で各種の変更が可能である。例えば上記実施の形態におけるケーシング１０の具体的な形状や、ロック機構を構成する各種の部品の寸法比あるいはその形状等については、その設計目的に応じて各種の変更が可能である。
【産業上の利用可能性】
【００６３】
本願発明は光ディスクによって信号の書込みあるいは読出しを行なうための光ディスクプレーヤのカートリッジ型の記録媒体として広く利用可能である。
【図面の簡単な説明】
【００６４】
【図１】ディスクカートリッジの分解斜視図である。
【００６５】
【図２】上シェルの平面図である。
【００６６】
【図３】上シェルの底面図である。
【００６７】
【図４】上シェルの正面図である。
【００６８】
【図５】下シェルの平面図である。
【００６９】
【図６】下シェルの底面図である。
【００７０】
【図７】下シェルの正面図である。
【００７１】
【図８】図５におけるＡ〜Ａ線断面図である。
【００７２】
【図９】シャッタの平面図である。
【００７３】
【図１０】シャッタの正面図である。
【００７４】
【図１１】シャッタの側面図である。
【００７５】
【図１２】シャッタの斜視図である。
【００７６】
【図１３】シャッタの要部拡大斜視図である。
【００７７】
【図１４】解除部材の平面図である。
【００７８】
【図１５】解除部材の正面図である。
【００７９】
【図１６】解除部材の斜視図である。
【００８０】
【図１７】ロック板の平面図である。
【００８１】
【図１８】ロック板の正面図である。
【００８２】
【図１９】ロック板の斜視図である。
【００８３】
【図２０】ねじりばねの平面図である。
【００８４】
【図２１】ねじりばねの正面図である。
【００８５】
【図２２】ねじりばねの斜視図である。
【００８６】
【図２３】シャッタのロック機構の分解斜視図である。
【００８７】
【図２４】シャッタのロック状態およびロック解除状態の一部を破断した要部平面図である。
【００８８】
【図２５】シャッタを閉じた状態のディスクカートリッジの平面図である。
【００８９】
【図２６】シャッタを閉じた状態のディスクカートリッジの正面図である。
【００９０】
【図２７】シャッタを開いた状態のディスクカートリッジの平面図である。
【００９１】
【図２８】シャッタを開いた状態のディスクカートリッジの正面図である。
【００９２】
【図２９】シャッタを開く動作を示す要部平面図である。
【００９３】
【図３０】シャッタを開く動作を示す図２９に続く要部平面図である。
【００９４】
【図３１】シャッタを開く動作を示す図３０に続く要部平面図である。
【符号の説明】
【００９５】
１０‥‥ケーシング、１１‥‥上シェル、１２‥‥下シェル、１３‥‥中心孔、１４‥‥アクセス用開口、１７‥‥シャッタ、１８‥‥解除部材、１９‥‥ロック板（板ばね）、２０‥‥ねじりばね、２３‥‥ラベル貼付け用凹部、２４‥‥結合用ビス穴、２５‥‥円形の凹部、２７‥‥係止溝、３０‥‥円形の凹部、３１‥‥ボス、３２‥‥雌ねじ孔、３３‥‥段部、３４‥‥摺動用凹部、３５‥‥深い凹部、３６‥‥係止溝、３８‥‥側壁、３９‥‥爪、４０‥‥保持片、４１‥‥突片、４２、４３‥‥被係止部、４４‥‥屈曲部、４５‥‥係合部、４６‥‥被係合部、４７‥‥凹部、４８‥‥カム、４９‥‥貫通穴、５０、５１‥‥段部、５２‥‥Ｌ字状係合部、５７‥‥突部、５８‥‥ロック孔、５９‥‥受け面、６１‥‥コイル部（大）、６２‥‥コイル部（小）、６３、６４‥‥屈曲部、６５‥‥ディスク、６６‥‥当接段部、６７‥‥壁面、６８‥‥傾斜面、６９‥‥収納空間、７０‥‥当接部
【図１】
2005135497.tif 000003
【図２】
2005135497.tif 000004
【図３】
2005135497.tif 000005
【図４】
2005135497.tif 000006
【図５】
2005135497.tif 000007
【図６】
2005135497.tif 000008
【図７】
2005135497.tif 000009
【図８】
2005135497.tif 000010
【図９】
2005135497.tif 000011
【図１０】
2005135497.tif 000012
【図１１】
2005135497.tif 000013
【図１２】
2005135497.tif 000014
【図１３】
2005135497.tif 000015
【図１４】
2005135497.tif 000016
【図１５】
2005135497.tif 000017
【図１６】
2005135497.tif 000018
【図１７】
2005135497.tif 000019
【図１８】
2005135497.tif 000020
【図１９】
2005135497.tif 000021
【図２０】
2005135497.tif 000022
【図２１】
2005135497.tif 000023
【図２２】
2005135497.tif 000024
【図２３】
2005135497.tif 000025
【図２４】
2005135497.tif 000026
【図２５】
2005135497.tif 000027
【図２６】
2005135497.tif 000028
【図２７】
2005135497.tif 000029
【図２８】
2005135497.tif 000030
【図２９】
2005135497.tif 000031
【図３０】
2005135497.tif 000032
【図３１】
2005135497.tif 000033